(57)【特許請求の範囲】
【請求項１】
靴底であって、前記靴底は、前足部３の内側Ｍと外側Ｌとの間の中央部１Ｃにおいて少なくとも縦方向Ｙに延びている前縦溝Ｇ０と、前記前足部の母趾球Ｏ１よりも前方ＤＦに配置され前記前縦溝Ｇ０に仮想の第１交点Ｃ１で交わるように少なくとも横方向Ｘに延びている第１屈曲溝Ｇ１とを定義し、
前記第１交点Ｃ１から５ｃｍ後方までの範囲における前記前縦溝Ｇ０の平均深さＨ０は３〜２０ｍｍに設定され、
前記第１屈曲溝Ｇ１の平均深さＨ１は３〜１２ｍｍに設定され、
前記第１屈曲溝Ｇ１は前記中央部１Ｃから前記内側縁１１に向かって真横または斜め後方に延びている内側屈曲部Ｇ１１と、前記中央部１Ｃから前記外側縁１０に向かって斜め前方に延びている外側屈曲部Ｇ１０とを包含しており、
前記内側屈曲部Ｇ１１と前記前縦溝Ｇ０とのなす第１角αよりも、前記外側屈曲部Ｇ１０と前記前縦溝Ｇ０とのなす第２角βのほうが大きい。
【請求項２】
請求項１の靴底において、
前記前縦溝Ｇ０はアウトソール２およびミッドソール１の双方で形成され、
前記第１屈曲溝Ｇ１は前記アウトソール２および前記ミッドソール１の双方で形成されている。
【請求項３】
請求項１もしくは２の靴底において、
前記靴底は、前記外側屈曲部Ｇ１０よりも後方ＤＢにおいて前記前縦溝Ｇ０から前記外側縁１０に向かって斜め後方に延びている補助屈曲溝Ｇ３を更に定義し、
前記外側縁１０から前記前縦溝Ｇ０に至るまでの範囲における前記補助屈曲溝Ｇ３の平均深さＨ３は、前記第１屈曲溝Ｇ１の平均深さＨ１と同じか、あるいは、前記第１屈曲溝Ｇ１の平均深さＨ１よりも小さい。
【請求項４】
請求項３の靴底において、前記補助屈曲溝Ｇ３の平均深さＨ３は２〜８ｍｍに設定されている。
【請求項５】
請求項３もしくは４の靴底において、
前記前縦溝Ｇ０、前記第１屈曲溝Ｇ１、前記補助屈曲溝Ｇ３および前記外側縁１０に囲まれた前記靴底の領域３０は、三角形状、台形状ないし扇状に形成されている。
【請求項６】
請求項１〜５にいずれか１項の靴底において、
前記靴底は前記前足部３において前記縦方向Ｙに交差する横方向Ｘに延びている前記第１屈曲溝Ｇ１とは異なる１又は複数の横溝Ｇ６を更に定義し、
前記第１屈曲溝Ｇ１の平均深さＨ１は前記１又は複数の各横溝Ｇ６の各々の平均深さＨ６よりも大きい。
【請求項７】
請求項１〜６のいずれか１項の靴底において、
前記靴底は後足部５の内側Ｍと外側Ｌとの間において少なくとも前記縦方向Ｙに延びている後縦溝Ｇ５と、前記後足部５に配置され前記後縦溝Ｇ５に仮想の第２交点Ｃ２で交わるように少なくとも横方向Ｘに延びている第２屈曲溝Ｇ２とを更に定義し、
前記第２交点Ｃ２から５ｃｍ前方までの範囲における前記後縦溝Ｇ５の平均深さＨ５は３〜１６ｍｍに設定され、
前記第２屈曲溝Ｇ２の平均深さＨ２は１〜１２ｍｍに設定され、
前記第２屈曲溝Ｇ２が前記内側縁１１から前記外側縁１０に向かって斜め前方に延びている。
【請求項８】
靴底であって、前記靴底は、前足部３の内側Ｍと外側Ｌとの間の中央部１Ｃにおいて少なくとも縦方向Ｙに延びている前縦溝Ｇ０と、前記前足部３の母趾球Ｏ１よりも前方ＤＦに配置され前記前縦溝Ｇ０に仮想の第１交点Ｃ１で交わるように少なくとも横方向Ｘに延びている第１屈曲溝Ｇ１とを定義し、
前記第１交点Ｃ１から５ｃｍ後方ＤＢまでの範囲における前記前縦溝Ｇ０の横断面積の平均値は１０〜２００平方ミリメートルに設定され、
前記第１屈曲溝Ｇ１の横断面積の平均値は１０〜１２０平方ミリメートルに設定され、
前記第１屈曲溝Ｇ１は前記中央部１Ｃから前記内側縁１１に向かって真横または斜め後方に延びている内側屈曲部Ｇ１１と、前記中央部１Ｃから前記外側縁１０に向かって斜め前方に延びている外側屈曲部Ｇ１０とを包含しており、
前記内側屈曲部Ｇ１１と前記前縦溝Ｇ０とのなす第１角αよりも、前記外側屈曲部Ｇ１０と前記前縦溝Ｇ０とのなす第２角βのほうが大きい。
【請求項９】
請求項８の靴底において、
前記前縦溝Ｇ０はアウトソール２およびミッドソール１の双方で形成され、
前記第１屈曲溝Ｇ１は前記アウトソール２および前記ミッドソール１の双方で形成されている。
【請求項１０】
請求項８もしくは９の靴底において、
前記靴底は、前記外側屈曲部Ｇ１０よりも後方において前記前縦溝Ｇ０から前記外側縁１０に向かって斜め後方に延びている補助屈曲溝Ｇ３を更に定義し、
前記外側縁１０から前記前縦溝Ｇ０に至るまでの範囲における前記補助屈曲溝Ｇ３の横断面積の平均値は、前記第１屈曲溝Ｇ１の横断面積の平均値と同じか、あるいは、前記第１屈曲溝Ｇ１の平均値よりも小さい。
【請求項１１】
請求項１０の靴底において、前記補助屈曲溝Ｇ３の横断面積の平均値は１０〜１００平方ミリメートルに設定されている。
【請求項１２】
請求項１０もしくは１１の靴底において、
前記前縦溝Ｇ０、前記第１屈曲溝Ｇ１、前記補助屈曲溝Ｇ３および前記外側縁１０に囲まれた前記靴底の領域３０は、三角形状、台形状ないし扇状に形成されている。
【請求項１３】
請求項８〜１２のいずれか１項の靴底において、
前記靴底は前記前足部３において前記縦方向Ｙに交差する横方向Ｘに延び前記第１屈曲溝Ｇ１とは異なる１又は複数の横溝Ｇ６を更に定義し、
前記第１屈曲溝Ｇ１の横断面積の平均値は前記１又は複数の各横溝Ｇ６の横断面積の各々の平均値よりも大きい。
【請求項１４】
請求項８〜１３のいずれか１項の靴底において、
前記靴底は後足部５の内側Ｍと外側Ｌとの間において少なくとも前記縦方向Ｙに延びている後縦溝Ｇ５と、前記後足部５に配置され前記後縦溝Ｇ５に仮想の第２交点Ｃ２で交わるように少なくとも横方向Ｘに延びている第２屈曲溝Ｇ２とを更に定義し、
前記第２交点Ｃ２から５ｃｍ前方までの範囲における前記後縦溝５の横断面積の平均値は２５〜６００平方ミリメートルに設定され、
前記第２屈曲溝Ｇ２の横断面積の平均値は５〜１２０平方ミリメートルに設定され、
前記第２屈曲溝Ｇ２が前記内側縁１１から前記外側縁１０に向かって斜め前方に延びている。
【請求項１５】
靴底であって、前記靴底は、前足部３の内側Ｍと外側Ｌとの間の中央部１Ｃにおいて少なくとも縦方向Ｙに延びている前縦溝Ｇ０と、前記前足部３の母趾球Ｏ１よりも前方ＤＦに配置され前記前縦溝Ｇ０に仮想の第１交点Ｃ１で交わるように少なくとも横方向Ｘに延びている第１屈曲溝Ｇ１とを定義し、
前記第１交点Ｃ１から５ｃｍ後方までの範囲における前記前縦溝Ｇ０の平均深さＨ０は３〜２０ｍｍに設定され、
前記第１交点Ｃ１から５ｃｍ後方までの範囲における前記前縦溝Ｇ０の横断面積の平均値は２５〜２００平方ミリメートルに設定され、
前記第１屈曲溝Ｇ１の平均深さＨ１は３〜１２ｍｍに設定され、
前記第１屈曲溝Ｇ１の横断面積の平均値は１０〜１２０平方ミリメートルに設定され、
前記第１屈曲溝Ｇ１は前記中央部１Ｃから前記内側縁１１に向かって真横または斜め後方に延びている内側屈曲部Ｇ１１と、前記中央部１Ｃから前記外側縁１０に向かって斜め前方に延びている外側屈曲部Ｇ１０とを包含しており、
前記内側屈曲部Ｇ１１と前記前縦溝Ｇ０とのなす第１角αよりも、前記外側屈曲部Ｇ１０と前記前縦溝Ｇ０とのなす第２角βのほうが大きい。
【請求項１６】
靴底であって、前記靴底は、前足部３の内側Ｍと外側Ｌとの間の中央部１Ｃにおいて少なくとも縦方向Ｙに延びている前縦溝Ｇ０と、前記前足部３において少なくとも前記縦方向Ｙに延び前記前縦溝Ｇ０とは異なる１又は複数の縦細溝Ｇ７と、前記前足部３の母趾球Ｏ１よりも前方ＤＦに配置され前記前縦溝Ｇ０に仮想の第１交点Ｃ１で交わるように少なくとも横方向Ｘに延びている第１屈曲溝Ｇ１と、前記前足部３において少なくとも前記横方向に延び前記第１屈曲溝Ｇ１とは異なる１又は複数の横溝Ｇ６とを定義し、
前記第１交点Ｃ１から５ｃｍ後方までの範囲における前記前縦溝Ｇ０の平均深さＨ０は前記１又は複数の縦細溝Ｇ７の各々の平均深さＨ７よりも大きく、
前記第１屈曲溝Ｇ１の平均深さは前記１又は複数の横溝Ｇ６の各々の平均深さＨ６よりも大きく、
前記第１屈曲溝Ｇ１は前記第１交点Ｃ１から前記内側縁１１に向かって真横または斜め後方に延びている内側屈曲部Ｇ１１と、前記第１交点Ｃ１から前記外側縁１０に向かって斜め前方に延びている外側屈曲部Ｇ１０とを包含しており、
前記内側屈曲部Ｇ１１と前記前縦溝Ｇ０とのなす第１角αよりも、前記外側屈曲部Ｇ１０と前記前縦溝Ｇ０とのなす第２角βのほうが大きい。
【請求項１７】
靴底であって、前記靴底は、前足部３の内側Ｍと外側Ｌとの間の中央部１Ｃにおいて少なくとも縦方向Ｙに延びている前縦溝Ｇ０と、前記前足部３において少なくとも前記縦方向Ｙに延び前記前縦溝Ｇ０とは異なる１又は複数の縦細溝Ｇ７と、前記前足部３の母趾球Ｏ１よりも前方ＤＦに配置され前記前縦溝Ｇ０に仮想の第１交点Ｃ１で交わるように少なくとも横方向Ｘに延びている第１屈曲溝Ｇ１と、前記前足部３において少なくとも前記横方向に延び前記第１屈曲溝Ｇ１とは異なる１又は複数の横溝Ｈ６とを定義し、
前記第１交点Ｃ１から５ｃｍ後方までの範囲における前記前縦溝Ｇ０の横断面積の平均値は前記１又は複数の各縦細溝Ｇ７の横断面積の各々の平均値よりも大きく、
前記第１屈曲溝Ｇ１の横断面積の平均値は前記１又は複数の横溝Ｇ６の横断面積の各々の平均値よりも大きく、
前記第１屈曲溝Ｇ１は前記中央部１Ｃから前記内側縁１１に向かって真横または斜め後方に延びている内側屈曲部Ｇ１１と、前記中央部１Ｃから前記外側縁１０に向かって斜め前方に延びている外側屈曲部Ｇ１０とを包含しており、
前記内側屈曲部Ｇ１１と前記前縦溝Ｇ０とのなす第１角αよりも、前記外側屈曲部Ｇ１０と前記前縦溝Ｇ０とのなす第２角βのほうが大きい。
【請求項１８】
請求項１〜１７のいずれか１項の靴底において、前記第１屈曲溝Ｇ１は後方に向かって凸に形成されている。
【請求項１９】
請求項１〜１８のいずれか１項の靴底において、前記第１屈曲溝Ｇ１が円弧状に形成されている。
【請求項２０】
請求項１〜１９のいずれか１項の靴底において、
前記前縦溝Ｇ０および前記第１屈曲溝Ｇ１は少なくとも靴底の接地面側に形成されている。
【請求項２１】
請求項２０の靴底において、前記靴底は、
前記接地面とは反対側の上面の前記外側屈曲部Ｇ１０と前記補助屈曲溝Ｇ３との間の領域３０及び／又は前記上面の前記外側屈曲部Ｇ１０よりも前方の領域３２において、
前記外側屈曲部Ｇ１０に沿う前記斜め前方に延びている上溝Ｇ８を更に定義する。
【発明の詳細な説明】
【技術分野】
【０００１】
本発明は筋力の低い例えば高齢者等の歩行に適した靴の靴底に関する。
【背景技術】
【０００２】
ランニングやウォーキング等の前方移動を伴う靴において、足の本来の動きを実現するために、足の関節に対応した屈曲溝を設けた靴底は一般的である。また、近年、走行効率を高めるために靴の縦方向に延びている縦溝が設けられた靴底も開発されている。
【先行技術文献】
【特許文献】
【０００３】
【特許文献１】ＷＯ２０１０／０３８２６６Ａ１（フロントページ）
【特許文献２】ＪＰ２００８／２９７１７Ａ（フロントページ）
【特許文献３】ＪＰ２００９／２４０８２７Ａ（フロントページ）
【発明の概要】
【０００４】
前記特許文献１に開示された発明は、走行効率の良い靴底を狙っており、高齢者の歩行の安定については配慮されていない。
【０００５】
前記特許文献２に開示された靴底は、第１趾から第５趾のＭＰ関節の配置に沿って足の内側から足の外側に斜め後方に延びている複数の屈曲溝が前足部から爪先部まで同じ様な向きで配置されている。これらの複数の屈曲溝は歩行者の足趾の関節がどのように屈曲するかを支配するであろう。
【０００６】
前記特許文献２の発明は高齢者や幼児の歩行の安定性能の向上を狙っている。しかし、同文献の発明は高齢者等の歩行のメカニズムについて十分な検討がなされていない。
【０００７】
特許文献３に開示された発明は、アッパーの特定の部分における伸縮度を選択的に変化させることを狙っている。同発明の靴底の概ね全域には、靴底を前後方向に分離する多数の切り込みが形成されている。
【０００８】
しかし、同文献３の靴底は高齢者等の歩行の安定性能を向上することは難しいだろう。たとえば、靴底の全域に形成された前記多数の切り込みは靴底の不安定な変形をもたらすであろう。
【０００９】
したがって、本発明の目的は、筋力の低下した高齢者等が歩行時の安定性能を高めることのできる靴底を提供することである。
【００１０】
つぎに、高齢者等の歩行のメカニズムについて説明する。
歩行中には、体重を片脚のみで支える片脚支持期と、体重を両脚で支える両脚支持期とが交互に繰り返し現れる。
【００１１】
図１１は両脚支持期における靴底の配置を示す。この図のように、前後の足は互いに若干左右に開いた状態で接地している。図１１のドット模様で示すように、前方の靴底Ｓ１は後端部Ｓ１０のみが接地し、一方、後方の靴底Ｓ２は前端部Ｓ２０のみが接地する。
【００１２】
本発明者は両足の歩隔ＳＤおよび歩行角θが、高齢者の場合、若年者に比べ大きい傾向があることを発見した。その理由は高齢者は加齢と共に筋力およびバランス能力が低下し、これらの低下を前記歩隔ＳＤと歩行角θを大きくすることで補っていると考えられる。
【００１３】
つぎに、歩行が不安定となる歩行のタイミングについて研究した結果について説明する。
【００１４】
図１２（ｂ）に示す歩行者の地面反力Ｆを図１２（ａ）の左右ｘ成分Ｆｘおよび上下ｚ成分Ｆｚについて計測し、左右への傾斜角Фを算出した。歩行の１サイクルについての傾斜角Фの値を図１２（ｃ）に示す。図１２（ｃ）において、ドット模様を付した両脚支持期ＴＥにおいて前記傾斜角Фの振れ幅ＷФが最大になっていることが理解できる。
【００１５】
つまり、歩行動作において両脚で接地している時、左右へ力がブレ易くなり、不安定な状態になっていると推測される。その為、両脚支持期ＴＥにおいて安定した接地を行うためには、この傾斜角Фの振れ幅ＷФを小さくすることが重要と考えられる。
【００１６】
一方、両脚支持期ＴＥにおいては図１１に示すように、先導脚の靴底Ｓ１の後端部Ｓ１０と後継脚の靴底Ｓ２の前端部Ｓ２０とが接地し、その他の部分は接地していない。したがって、前記後端部Ｓ１０および前端部Ｓ２０の安定した接地状態を得ることが重要である。
【００１７】
一方、本発明者等の研究によれば、筋力の強い若年者と異なり高齢者は、歩行時に、いわゆるローリング動作（あおり運動）やヒールライズの高さが小さいと考えられている。また、後継脚の靴底Ｓ２の前端部Ｓ２０に注目すると、前記歩隔ＳＤが大きいため、接地してから離地するまでの間に圧力中心が内側Ｍに移動するであろうと推測される。この移動時に小趾球には圧力が負荷されにくいだろう。
【００１８】
したがって、両脚支持期ＴＥ（図１１）における後継脚の靴底Ｓ２の前端部Ｓ２０の後端のラインＳ２１は図１１のように後方ＤＢに向かって凸となるであろうと推測される。また、前記歩行角θが大きいことから、前記後端のラインＳ２１は足の内側Ｍから外側Ｌに向かって斜め前方に延びるだろうと推測される。更に、前記ラインＳ２１が前記センタＳＣとなす角α１、β１を比べると、β１＞α１となるであろうと推測される。
【００１９】
両脚支持期ＴＥ（図１１）における先導脚について考察する。前記ローリング動作が小さいことから、靴底Ｓ１の後端部Ｓ１０の前端のラインＳ１１は進行方向に向かって直交する方向に近づくであろうと推測される。したがって、前記ラインＳ１１は前記センタＳＣに対して、足の内側Ｍから外側Ｌに向かって斜め前方ＤＦに延びるだろうと推測される。
【００２０】
つぎに、本発明の種々の局面における共通の構成が説明される。
本発明は靴底であって、前記靴底は、前足部３の内側Ｍと外側Ｌとの間の中央部１Ｃにおいて少なくとも縦方向Ｙに延びている前縦溝Ｇ０と、前記前足部の母趾球Ｏ１よりも前方ＤＦに配置され前記前縦溝Ｇ０に仮想の第１交点Ｃ１で交わるように少なくとも横方向Ｘに延びている第１屈曲溝Ｇ１とを定義し、
前記第１屈曲溝Ｇ１は前記中央部１Ｃから前記内側縁１１に向かって真横または斜め後方に延びている内側屈曲部Ｇ１１と、前記中央部１Ｃから前記外側縁１０に向かって斜め前方に延びている外側屈曲部Ｇ１０とを包含しており、
前記内側屈曲部Ｇ１１と前記前縦溝Ｇ０とのなす第１角αよりも、前記外側屈曲部Ｇ１０と前記前縦溝Ｇ０とのなす第２角βのほうが大きい。
【００２１】
本発明においては、前記中央部１Ｃにおいて縦方向に延びる前縦溝Ｇ０が設けられている。これにより、片足支持期に、前足部において圧力中心点がシューズ中央付近に安定して集まり易くなり、安定した接地状態から次の両脚支持期ＴＥへの移行が期待できる。
【００２２】
本発明において、母趾球Ｏ１よりも前方に配置された前記第１屈曲溝Ｇ１は前記中央部１Ｃから前記内側縁１１に向かって真横または斜め後方に延びている内側屈曲部Ｇ１１と、前記中央部１Ｃから前記外側縁１０に向かって斜め前方に延びている外側屈曲部Ｇ１０とを包含している。これにより、両脚支持期ＴＥにおいて、爪先部の圧力中心点の軌跡が内側に移動した時にも、安定した爪先接地が可能となるであろう。
【００２３】
本明細書において、仮想の第１交点Ｃ１（第２交点Ｃ２）とは、かかる交点が実際には目で見ることができないことを意味する。
また、「交点で交わるように」とは、溝同士が実際に交わっていなくてもよいことを意味する。たとえば、第１屈曲溝Ｇ１に対し、前縦溝Ｇ０が２〜３ｍｍ程度まで接近し、かつ、交わっていない場合が含まれることを意味する。
【００２４】
また、前記内側屈曲部Ｇ１１と前記前縦溝Ｇ０とのなす第１角αよりも、前記外側屈曲部Ｇ１０と前記前縦溝Ｇ０とのなす第２角βのほうが大きい。そのため、外側において斜め前方に延びる第１屈曲溝Ｇ１は、左右の足の歩隔が大きい場合、両脚支持期ＴＥにおいて、爪先部の圧力中心点の軌跡を内側に移動し易くするであろう。これにより、安定した爪先接地が期待できる。
【００２５】
本発明において、前縦溝Ｇ０および第１屈曲溝Ｇ１は、後述するように、種々の定義により特定することが可能である。
【図面の簡単な説明】
【００２６】
【図１】図１は本発明の実施例１を示す靴底の底面図である。図１においては主たる溝の部分にドット模様が付されている。
【図２】図２は同靴底の概略斜視図である。図２および後述する図８においては、作図の便宜上、アウトソールの接地面に形成された細い溝の図示が省略されている。また、図２および図８においてアウトソールの部位にはドット模様が付されている。
【図３】図３は同靴底を足の骨格と共に示す概略底面図である。
【図４】図４は同靴底の概略底面図である。図３および図４においては、図を見易くするために、アウトソールの接地面に形成された細い溝の図示が省略されている。
【図５】図５Ａ、図５Ｂ、図５Ｃ、図５Ｄ、図５Ｅおよび図５Ｆはそれぞれ、図４に示す断面線Ａ，Ｂ，Ｃ，Ｄ，ＥおよびＦに沿って断面した靴底の部分断面図である。
【図６】図６は本発明の実施例２を示す靴底の底面図である。図６後述する図７および図９においては主たる溝の部分にドット模様が付されている。
【図７】図７は本発明の実施例３を示す靴底の底面図である。
【図８】図８は同靴底の概略斜視図である。
【図９】図９は本発明の実施例４を示す靴底の底面図である。
【図１０】図１０は本発明の実施例５を示す靴の概略側面図である。
【図１１】図１１は両脚支持期ＴＥにおける左右の靴底の配置を示す概念図である。なお、図１１において接地部位にはドット模様が付されている。
【図１２】図１２は、歩行の１サイクルにおける地面反力の傾きを示すグラフである。
【図１３】図１３はテストサンプルＴ１〜Ｔ４について安定性を計測した結果を示すグラフである。
【図１４】図１４はテストサンプルＴ５〜Ｔ７について安定性を計測した結果を示すグラフである。
【図１５】図１５Ａおよび図１５Ｂは、それぞれ、実施例６および７にかかる靴底の爪先部分の底面図である。
【図１６】図１６Ａおよび図１６Ｂは、それぞれ、実施例８および９を示す靴底の爪先部分の底面図である。なお、図１５Ａ−図１６Ｂにおいては主たる溝の部分にドット模様が付されている。
【発明を実施するための形態】
【００２７】
本発明の前縦溝Ｇ０および第１屈曲溝Ｇ１は第１の局面において以下のように定義される。すなわち、第１の局面において、
前記第１交点Ｃ１から５ｃｍ後方までの範囲における前記前縦溝Ｇ０の平均深さＨ０は３〜２０ｍｍに設定され、
前記第１屈曲溝Ｇ１の平均深さＨ１は３〜１２ｍｍに設定されている。
「平均深さ」とは、溝の任意の横断面における最深部の深さを溝の延びている方向について平均した平均値を意味する。
【００２８】
前記前縦溝Ｇ０の部位に荷重が負荷されて靴底が屈曲し、靴底が下方に沈む。これにより圧力中心が前縦溝Ｇ０に沿って移動し易い状態となる。かかる前縦溝Ｇ０の機能から、前記前縦溝Ｇ０の平均深さＨ０は４〜２０ｍｍ程度が好ましく、５〜１５ｍｍ程度が最も好ましい。
【００２９】
前記第１屈曲溝Ｇ１の部位において、足の屈曲に沿って靴底が屈曲する。第１屈曲溝Ｇ１が浅いと靴底が屈曲しにくい。かかる観点から前記第１屈曲溝Ｇ１の深さＨ１は３．５〜１２ｍｍ程度が好ましく、４〜１０ｍｍ程度が最も好ましい。
【００３０】
本発明の前縦溝Ｇ０および第１屈曲溝Ｇ１は第２の局面において以下のように定義される。すなわち、第２の局面において、
前記第１交点Ｃ１から５ｃｍ後方ＤＢまでの範囲における前記前縦溝Ｇ０の横断面積の平均値は１０〜２００平方ミリメートルに設定され、
前記第１屈曲溝Ｇ１の横断面積の平均値は１０〜１２０平方ミリメートルに設定される。
前記「横断面積の平均値」とは、溝の任意の横断面における横断面積を溝の延びている方向について平均した平均値を意味する。
【００３１】
溝において靴底が屈曲するには溝に十分な深さが必要である。しかし、靴底がスムースに屈曲して安定した歩行姿勢を得るためには、溝の幅が十分な大きさであるのが好ましい。
【００３２】
かかる観点から、前記前縦溝Ｇ０の横断面積の平均値は、好ましくは１５〜２００平方ミリメートルに設定され、より好ましくは２０〜２００平方ミリメートルに設定され、最も好ましくは２５〜２００平方ミリメートルに設定される。
【００３３】
同様の観点から、前記第１屈曲溝Ｇ１の横断面積の平均値は２０〜１２０平方ミリメートル程度が好ましく、最も好ましくは２５〜１００平方ミリメートルに設定される。
【００３４】
本発明の前縦溝Ｇ０および第１屈曲溝Ｇ１は第３の局面において以下のように定義される。すなわち、第３の局面において、
前記第１交点Ｃ１から５ｃｍ後方までの範囲における前記前縦溝Ｇ０の平均深さＨ０は３〜２０ｍｍに設定され、
前記第１交点Ｃ１から５ｃｍ後方までの範囲における前記前縦溝Ｇ０の横断面積の平均値は２５〜２００平方ミリメートルに設定され、
前記第１屈曲溝Ｇ１の平均深さＨ１は３〜１２ｍｍに設定され、
前記第１屈曲溝Ｇ１の横断面積の平均値は１０〜１２０平方ミリメートルに設定される。
【００３５】
本第３の局面において、前記両溝Ｇ０，Ｇ１は、それぞれ、前記各平均深さＨ０，Ｈ１および横断面積の各平均値の双方で定義されている。したがって、前記両溝において靴底がよりスムースにより屈曲し易い。
【００３６】
本発明の第４および第５の局面においては、前記両溝Ｇ０，Ｇ１に加え、
前記前足部３において少なくとも縦方向Ｙに延び前記前縦溝Ｇ０とは異なる１又は複数の縦細溝Ｇ７と、
前記前足部３において前記縦方向Ｙに交差する横方向に延び前記第１屈曲溝Ｇ１とは異なる１又は複数の横溝Ｇ６とを、靴底が定義する。
【００３７】
本発明の前縦溝Ｇ０および第１屈曲溝Ｇ１は前記第４の局面において以下のように定義される。すなわち、第４の局面において、
前記第１交点Ｃ１から５ｃｍ後方までの範囲における前記前縦溝Ｇ０の平均深さＨ０は前記１又は複数の縦細溝Ｇ７の各々の平均深さよりも大きく、
前記第１屈曲溝Ｇ１の平均深さは前記１又は複数の横溝Ｇ６の各々の平均深さよりも大きい。
【００３８】
靴底の接地面や底面には横方向および縦方向への防滑のための縦細溝Ｇ７および横溝Ｇ６が設けられる場合がある。第４の局面において、かかる防滑用の各溝Ｇ７，Ｇ６の深さに比べ前記前縦溝Ｇ０や第１屈曲溝Ｇ１の深さは大きい。そのため、深い前縦溝Ｇ０および第１屈曲溝Ｇ１において靴底は最も屈曲し易く、したがって、所期の安定性能が発揮され易いだろう。
【００３９】
本発明の前縦溝Ｇ０および第１屈曲溝Ｇ１は第５の局面において以下のように定義される。すなわち、第５の局面において、
前記第１交点Ｃ１から５ｃｍ後方までの範囲における前記前縦溝Ｇ０の横断面積の平均値は前記１又は複数の各縦細溝Ｇ７の横断面積の各々の平均値よりも大きく、
前記第１屈曲溝Ｇ１の横断面積の平均値は前記１又は複数の横溝Ｇ６の横断面積の各々の平均値よりも大きい。
【００４０】
第５の局面において、かかる防滑用の各溝Ｇ７，Ｇ６の横断面積の平均値に比べ前記前縦溝Ｇ０および第１屈曲溝Ｇ１のそれは大きい。そのため、横断面積が大きい前縦溝Ｇ０および第１屈曲溝Ｇ１において靴底は最も屈曲し易く、したがって、所期の安定性能が発揮され易いだろう。
【００４１】
前記第２〜第５局面において、前記前縦溝Ｇ０および第１屈曲溝Ｇ１の各平均深さＨ０，Ｈ１は、前述の第１局面において設定された値が採用されてもよい。
【００４２】
一方、前記第１局面および第３〜第５局面において、前記前縦溝Ｇ０および第１屈曲溝Ｇ１の横断面積の各平均値は、前述の第２局面において設定された値が採用されてもよい。
【００４３】
前記各局面において好ましくは、前記前縦溝Ｇ０はアウトソール２およびミッドソール１の双方で形成され、
前記第１屈曲溝Ｇ１は前記アウトソール２および前記ミッドソール１の双方で形成されている。
【００４４】
これらの場合、前記前縦溝Ｇ０および第１屈曲溝Ｇ１は、アウトソールだけでなくミッドソールにも形成されており、そのため、深く、靴底が屈曲し易いだろう。
【００４５】
前記各局面において好ましくは、前記靴底は、前記外側屈曲部Ｇ１０よりも後方ＤＢにおいて前記前縦溝Ｇ０から前記外側縁１０に向かって斜め後方に延びている補助屈曲溝Ｇ３を更に定義し、
前記外側縁１０から前記前縦溝Ｇ０に至るまでの範囲における前記補助屈曲溝Ｇ３の平均深さＨ３は、前記第１屈曲溝Ｇ１の平均深さＨ１と同じか、あるいは、前記第１屈曲溝Ｇ１の平均深さＨ１よりも小さい。
【００４６】
また、各局面において好ましくは、前記靴底は、前記外側屈曲部Ｇ１０よりも後方において前記前縦溝Ｇ０から前記外側縁１０に向かって斜め後方に延びている補助屈曲溝Ｇ３を更に定義し、
前記外側縁１０から前記前縦溝Ｇ０に至るまでの範囲における前記補助屈曲溝Ｇ３の横断面積の平均値は、前記第１屈曲溝Ｇ１の横断面積の平均値と同じか、あるいは、前記第１屈曲溝Ｇ１の平均値よりも小さい。
【００４７】
これらの場合、前記外側屈曲部Ｇ１０よりも後方に配置された補助屈曲溝Ｇ３は前縦溝Ｇ０から外側縁１０に向かって斜め後方に延びており、第３〜第４足趾のＭＰ関節の配置に沿い易い。そのため、靴底がＭＰ関節の屈曲に沿って屈曲し易いであろう。
【００４８】
一方、補助屈曲溝Ｇ３が第１屈曲溝Ｇ１よりも屈曲し易いと、前記ＭＰ関節に沿った靴底の屈曲が支配的になる。この場合、補助屈曲溝Ｇ３は第１屈曲溝Ｇ１における所期の屈曲の妨げとなるおそれがある。かかる観点から、前記補助屈曲溝Ｇ３の深さＨ３が第１屈曲溝Ｇ１の深さＨ１よりも小さいのが更に好ましい。同様に、前記補助屈曲溝Ｇ３の横断面積の平均値が前記第１屈曲溝Ｇ１の横断面積の平均値よりも小さいのが更に好ましい。
【００４９】
かかる観点から、前記補助屈曲溝Ｇ３の深さＨ３は２〜８ｍｍ程度が好ましく、２．５〜６ｍｍ程度が最も好ましい。
【００５０】
同様の観点から、前記補助屈曲溝Ｇ３の横断面積の平均値は、好ましくは１０〜１００平方ミリメートルに設定され、最も好ましくは１２〜８０平方ミリメートルに設定される。
【００５１】
前記補助屈曲溝Ｇ３を設けた場合、前記前縦溝Ｇ０、前記第１屈曲溝Ｇ１、前記補助屈曲溝Ｇ３および前記外側縁１０に囲まれた前記靴底の領域３０は、三角形状、台形状ないし扇状に形成される場合が多いであろう。
【００５２】
前述した理由から、前記第１〜第３局面において、好ましくは、前記第１屈曲溝Ｇ１の平均深さＨ１は前記１又は複数の各横溝Ｇ６の各々の平均深さＨ６よりも大きい。
同様に、第１〜第３局面において、好ましくは、前記第１屈曲溝Ｇ１の横断面積の平均値は前記１又は複数の各横溝Ｇ６の横断面積の各々の平均値よりも大きい。
【００５３】
前記各局面において、好ましくは、前記靴底は後足部５の内側Ｍと外側Ｌとの間において少なくとも前記縦方向Ｙに延びている後縦溝Ｇ５と、前記後足部５に配置され前記後縦溝Ｇ５に仮想の前記第２交点Ｃ２で交わるように少なくとも横方向Ｘに延びている第２屈曲溝Ｇ２とを更に定義し、
前記第２屈曲溝Ｇ２が前記内側縁１１から前記外側縁１０に向かって斜め前方に延びる。
【００５４】
前述の先導脚について考察したとおり、爪先が外側に向かっている靴底の後端部は、両脚支持期ＴＥにおいて、シュー（ズ）センタＳＣに対して斜めに傾いている。したがって、前記内側縁１１から外側縁１０に向かって斜め前方に延びる第２屈曲溝Ｇ２は、先導脚が踵接地する際に、屈曲し易く、前記後端部の安定した接地に役立つだろう。
【００５５】
一方、前記両脚支持期ＴＥから片脚支持期に移行する際に、着用者の姿勢を安定させるためには、圧力中心が後足部の内外の中央に位置しながら前方へ移動するべきである。前記内側Ｍと外側Ｌとの間に配置された前記後縦溝Ｇ５は前記圧力中心が後足部において内外の中央に位置しながら前方へ移動するのに役立つだろう。
【００５６】
この場合において、前記後縦溝Ｇ５および第２屈曲溝Ｇ２は、前述と同様の理由で、平均深さ及び／又は横断面積の平均値で定義される。
【００５７】
好ましくは、前記第２交点Ｃ２から５ｃｍ前方までの範囲における前記後縦溝Ｇ５の平均深さＨ５は３〜１６ｍｍに設定され、更に好ましくは、５〜１６ｍｍに設定される。一方、前記第２屈曲溝Ｇ２の平均深さＨ２は１〜１２ｍｍに設定されるのが好ましく、更に好ましくは、２〜１２ｍｍに設定され最も好ましくは３〜１２ｍｍに設定される。
【００５８】
好ましくは、前記第２交点Ｃ２から５ｃｍ前方までの範囲における前記後縦溝Ｇ５の横断面積の平均値は２５〜６００平方ミリメートルに設定され、更に好ましくは、３０〜６００平方ミリメートルに設定される。一方、前記第２屈曲溝Ｇ２の横断面積の平均値は５〜１２０平方ミリメートルに設定されるのが好ましく、更に好ましくは、８〜１００平方ミリメートルに設定される。
【００５９】
本明細書において、前足部３（後足部５）の内側Ｍと外側Ｌとの間の中央部１Ｃにおいて少なくとも縦方向Ｙに延びているとは、前縦溝Ｇ０または後縦溝Ｇ５の中心線が内外の縁に近い部位を通っておらず、内外の中央部１Ｃを通っていることを意味する。
好ましくは、前記中央部１Ｃは靴底を横方向に３等分した中央の１／３の部位であり、この中央部１Ｃに前記縦溝Ｇ０または後縦溝Ｇ５の中心線が配置される。
【００６０】
好ましくは、第１屈曲溝Ｇ１が後方ＤＢに向かって凸に形成されており、そのため、両脚支持期ＴＥにおける後継脚の爪先接地に沿って第１屈曲溝Ｇ１が屈曲するだろう。
したがって、安定した爪先接地が期待できる。
【００６１】
更に好ましくは、前記第１屈曲溝Ｇ１が円弧状に形成されている。
この場合、円弧状の第１屈曲溝Ｇ１により靴底の屈曲がスムースであろう。
【００６２】
好ましくは、前記前縦溝Ｇ０および前記第１屈曲溝Ｇ１は少なくとも靴底の接地面側に形成されている。
接地面側に設けられた第１屈曲溝Ｇ１は靴底の上面に設けられる場合に比べ、靴底が屈曲し易いだろう。
【００６３】
好ましくは、前記接地面とは反対側の上面の前記外側屈曲部Ｇ１０と前記補助屈曲溝Ｇ３との間の前記領域３０、及び／又は、前記上面の前記外側屈曲部Ｇ１０よりも前方の領域３２において、前記外側屈曲部Ｇ１０に沿う前記斜め前方に延びている上溝Ｇ８が設けられる。
この場合、上溝Ｇ８により靴底が更に屈曲し易く、かつ、スムースに屈曲するだろう。
【００６４】
１つの前記各実施態様または下記の実施例に関連して説明および／または図示した特徴は、１つまたはそれ以上の他の実施態様または他の実施例において同一または類似な形で、および／または他の実施態様または実施例の特徴と組み合わせて、または、その代わりに利用することができる。
【実施例】
【００６５】
本発明は、添付の図面を参考にした以下の好適な実施例の説明からより明瞭に理解されるであろう。しかし、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。【００６６】
以下、本発明の実施例１が図１〜図５にしたがって説明される。
本実施例は例えばウォーキング用の靴の靴底である。
図１および図２に示すメインソールＭＳはゴム製のアウトソール２と樹脂製のミッドソール１とを備える。メインソールＭＳの上には図示しない足の甲を包むアッパーが設けられる。【００６７】
ミッドソール１は例えばＥＶＡのような樹脂製の発泡体からなるミッドソール本体を備え、更に、強化装置を備えていてもよい。「樹脂製」とは、熱可塑性等の樹脂成分を有するという意味で、任意の適宜の他の成分を含む。【００６８】
図２のアウトソール２は前記ミッドソール本体の発泡体よりも耐摩耗性の大きい接地底で、一般に、ミッドソール本体の発泡体よりも硬度が大きい。なお、「ゴム製」とは天然ゴムや合成ゴムの成分を有するという意味で、任意の他の成分を含む。【００６９】
図３において、本実施例のミッドソール１および図示しないインソールは足裏の概ね全面を覆う。一方、図１および図２に示すように、アウトソール２はミッドソール１の下面に付着され足裏を部分的に覆う。【００７０】
図１および図２に明示するように、メインソールＭＳの接地面側には、前縦溝Ｇ０，第１屈曲溝Ｇ１, 第２屈曲溝Ｇ２，補助屈曲溝Ｇ３および後縦溝Ｇ５が形成されている。【００７１】
図３において、前記縦溝Ｇ０は、前足部３の内側Ｍと外側Ｌとの間において少なくとも縦方向Ｙに延びている。前記第１屈曲溝Ｇ１は前記前足部の母趾球Ｏ１よりも前方ＤＦに配置され、図４の前記前縦溝Ｇ０に仮想の第１交点Ｃ１で交わるように少なくとも横方向Ｘに延びている。なお、本実施例の場合、前縦溝Ｇ０と第１屈曲溝Ｇ１とは第１交点Ｃ１において実際に交差（クロス）している。【００７２】
図４において、前記第１屈曲溝Ｇ１は内側屈曲部Ｇ１１および外側屈曲部Ｇ１０とを備える。前記内側屈曲部Ｇ１１は前記第１交点Ｃ１から前記内側縁１１に向かって真横または斜め後方に延びている。前記外側屈曲部Ｇ１０は前記第１交点Ｃ１から前記外側縁１０に向かって斜め前方に延びている。例えば、図３に示すように、内側屈曲部Ｇ１１は母趾球Ｏ１よりも前方で、かつ、第１趾の末節骨Ｂ１の後端よりも後方に配置される。一方、外側屈曲部Ｇ１０は第５趾の末節骨Ｂ５の先端よりも前方に配置される。【００７３】
図３において、前記補助屈曲溝Ｇ３は、前記外側屈曲部Ｇ１０よりも後方ＤＢにおいて前記前縦溝Ｇ０から前記外側縁１０に向かって斜め後方に延びている。なお、別の補助屈曲溝Ｇ４は前記内側屈曲部Ｇ１１よりも後方において前記前縦溝Ｇ０から前記内側縁１１に向かって延びている。前記各補助屈曲溝Ｇ３，Ｇ４は足趾の５つの中足趾節間関節ＭＰに沿うように、かつ、前記中足趾節間関節ＭＰよりも後方ＤＢに配置されていてもよい。【００７４】
図２において、前記アウトソール２は互いに離間した複数のパーツを備える。前記各溝Ｇ０〜Ｇ５は、前記アウトソール２のパーツとパーツとの間の隙間で形成されている。更に、前記前縦溝Ｇ０，第１屈曲溝Ｇ１，補助屈曲溝Ｇ３および後縦溝Ｇ５については、パーツ間において露出したミッドソール１の底面が抉られていることで深い溝を構成する。【００７５】
図４において、前記第１屈曲溝Ｇ１は後方ＤＢに向かって凸に形成され、たとえば、円弧状に湾曲している。前記前縦溝Ｇ０はミッドソール１の外側縁１０に沿って湾曲している。前記前縦溝Ｇ０、前記第１屈曲溝Ｇ１、前記補助屈曲溝Ｇ３および前記外側縁１０に囲まれた前記靴底の領域３０は、図４、図６、図７、図９のように三角形状、台形状ないし扇状に形成されていてもよい。【００７６】
図４において、前記内側屈曲部Ｇ１１と前記前縦溝Ｇ０とのなす第１角αは、前記外側屈曲部Ｇ１０と前記前縦溝Ｇ０とのなす第２角βよりも小さい。前記第１屈曲溝Ｇ１が湾曲している場合、前記第１および第２角α，βの大きさは、例えば下記の（１）または（２）の手法で算出されてもよい。【００７７】
（１）各屈曲部Ｇ１０，１１の中心線Ｌ１０，Ｌ１１上において第１交点Ｃ１から任意の距離離れた各点における接線と、前記前縦溝Ｇ０の中心線Ｌ０上において第１交点Ｃ１から同距離だけ離れた各点における接線とがなす角の平均値を前記第１または第２角α，βとする。
（２）各屈曲部Ｇ１０，１１の中心線Ｌ１０，Ｌ１１を長さ方向に２等分する点における接線と、前記前縦溝Ｇ０の中心線Ｌ０上において第１交点Ｃ１から前記２等分された線分の長さ離れた点における接線とがなす角を前記第１または第２角α，βとする。【００７８】
図４の前記第１交点Ｃ１から５ｃｍ後方までの範囲における図５Ａおよび図５Ｃの前記前縦溝Ｇ０の平均深さＨ０は５〜１５ｍｍ程度に設定されている。図５Ｂおよび図５Ｄの前記第１屈曲溝Ｇ１の平均深さＨ１は４〜１０ｍｍ程度に設定されている。【００７９】
図５Ｅの前記補助屈曲溝Ｇ３の平均深さＨ３は２.５〜６ｍｍ程度に設定されている。前記外側縁１０から前記前縦溝Ｇ０に至るまでの範囲における前記補助屈曲溝Ｇ３の平均深さＨ３は前記第１屈曲溝Ｇ１の平均深さＨ１よりも小さい。なお、深さＨ３は前記第１屈曲溝Ｇ１の平均深さＨ１と同じであってもよい。【００８０】
図１において、アウトソール２には、前記前足部３において前記縦方向Ｙに交差する横方向に延び前記第１屈曲溝Ｇ１とは異なる複数本の横溝Ｇ６が更に形成されている。図５Ｄの前記第１屈曲溝Ｇ１の平均深さＨ１は前記各横溝Ｇ６の各々の平均深さＨ６よりも大きい。【００８１】
図４の前記後縦溝Ｇ５は後足部５の内側Ｍと外側Ｌとの間において少なくとも前記縦方向Ｙに延びている。前記第２屈曲溝Ｇ２は前記後足部５に配置され前記後縦溝Ｇ５に仮想の前記第２交点Ｃ２で交わるように少なくとも横方向Ｘに延びている。本実施例の場合、後縦溝Ｇ５と前縦溝Ｇ０とは第２交点Ｃ２において実際に交わっている。
前記第２屈曲溝Ｇ２は前記内側縁１１から前記外側縁１０に向かって斜め前方に延びている。【００８２】
図４において、前記後縦溝Ｇ５の中心線Ｌ５および前記前縦溝Ｇ０の中心線Ｌ０は、メインソールＭＳを内側Ｍ、外側Ｌ及び中央部に３等分した前記中央部１Ｃに配置されている。より好ましくは、メインソールＭＳを幅方向Ｘに５等分した中央部１Ｃに配置される。【００８３】
図４の前記第２交点Ｃ２から５ｃｍ前方までの範囲における図５Ａの前記後縦溝Ｇ５の平均深さＨ５は３〜１６ｍｍに設定されている。図５Ｆの前記第２屈曲溝Ｇ２の平均深さＨ２は１〜１２ｍｍに設定されている。【００８４】
図５Ｃの前記前縦溝Ｇ０の前記平均深さＨ０は前記複数の縦細溝Ｇ７の各々の平均深さＨ７よりも大きい。また、図５Ｄの前記第１屈曲溝Ｇ１の前記平均深さＨ１は前記複数の横溝Ｇ６の各々の平均深さＨ６よりも大きい。【００８５】
図２および図１に示すように、ミッドソール１の外周縁にはアウトソール２が配置されていない。そのため、ミッドソール１の外側縁１０および内側縁１１においては図２に示すように底面に高低差が殆ど生じていない。したがって、第１屈曲溝Ｇ１、第２屈曲溝Ｇ２および補助屈曲溝Ｇ３、Ｇ４はメインソールＭＳの外側縁１０および内側縁１１に形成されていないと認定すべきである。すなわち、各屈曲溝Ｇ１〜Ｇ４は中央部１Ｃと側縁１０，１１との間に設けられていればよく、両側縁１０，１１の間の全幅にわたって設けられている必要はない。【００８６】
このような理由から、各溝の平均深さＨ１〜Ｈ４（図５Ａ〜図５Ｅ）などの平均値は、図１の前記外側縁１０および内側縁１１の部位を除いた範囲の深さ等の平均値を意味する。また、図５Ａ〜図５Ｅの平均深さＨ１〜Ｈ６は各溝の横断面における最深部の深さの平均値を意味する。【００８７】
図４の前記第１交点Ｃ１から５ｃｍ後方ＤＢまでの範囲における図５Ａおよび図５Ｃの前記前縦溝Ｇ０の横断面積の平均値は２５〜２００平方ミリメートル程度に設定されている。図５Ｂおよび図５Ｄの前記第１屈曲溝Ｇ１の横断面積の平均値は２０〜１００平方ミリメートル程度に設定されている。【００８８】
図５Ｅの前記補助屈曲溝Ｇ３の横断面積の平均値は１２〜８０平方ミリメートル程度に設定されている。前記外側縁１０の近傍から前記前縦溝Ｇ０に至るまでの範囲における前記補助屈曲溝Ｇ３の横断面積の平均値は、前記第１屈曲溝Ｇ１の平均値よりも小さい。なお、補助屈曲溝Ｇ３の横断面積の平均値は、前記第１屈曲溝Ｇ１のそれと同じであってもよい。【００８９】
図５Ｄの前記第１屈曲溝Ｇ１の横断面積の平均値は前記１又は複数の各横溝Ｇ６の横断面積の各々の平均値よりも大きい。【００９０】
図４の前記第２交点Ｃ２から５ｃｍ前方までの範囲における図５Ａの前記後縦溝Ｇ５の横断面積の平均値は３０〜６００平方ミリメートル程度に設定されている。図５Ｆの前記第２屈曲溝Ｇ２の横断面積の平均値は８〜１０平方ミリメートル程度に設定されている。【００９１】
図５Ｃの前記前縦溝Ｇ０の前記横断面積の平均値は前記複数の各縦細溝Ｇ７の横断面積の各々の平均値よりも大きい。また、図５Ｄの前記第１屈曲溝Ｇ１の前記横断面積の平均値は前記複数の横溝Ｇ６の横断面積の各々の平均値よりも大きい。【００９２】
図１のメインソールＭＳにおける接地面とは反対側の上面には破線で示す上溝Ｇ８が形成されている。前記上溝Ｇ８は前記上面の前記外側屈曲部Ｇ１０と前記補助屈曲溝Ｇ３との間の前記領域３０並びに前記上面の前記外側屈曲部Ｇ１０よりも前方の領域３２において、前記外側屈曲部Ｇ１０に沿う前記斜め前方に延びている。【００９３】
図２に示すように、本実施例１においては、前縦溝Ｇ０と後縦溝Ｇ５とが、アウトソール２による強化部２０を介して互いに連なっている。前記強化部２０は例えば１〜５ｍｍ程度の浅い溝を定義している。【００９４】
図６の例に示すように、前記強化部２０（図２）は設けられなくてもよい。また、前記前縦溝Ｇ０と後縦溝Ｇ５とは互いに滑らかに連なっていてもよい。【００９５】
図７および図８の例に示すように、前縦溝Ｇ０と第１屈曲溝Ｇ１とは十字状ではなく、Ｔ字状に交わっていてもよい。【００９６】
図７および図９の例に示すように、補助屈曲溝Ｇ３は前記第１交点Ｃ１の近傍の前縦溝Ｇ０から斜め後方に向かって外側縁１０に至るまで延びていてもよい。この場合、前記領域３０は三角形状である。【００９７】
また、図８の例に示すように、第２屈曲溝Ｇ２の平均深さおよび横断面積の平均値は第１屈曲溝Ｇ１のそれらの値と同程度であってもよい。【００９８】
図７および図９の例のように、前記補助屈曲溝Ｇ３とは別の補助屈曲溝Ｇ４（図２）は設けられていなくてもよい。これらの例の場合、アウトソール２はミッドソール１の内側縁１１から外側縁１０まで設けられており、その場合、例えば、第１屈曲溝Ｇ１は外側縁１０の端から内側縁１１の端まで延びていると認定することができる。【００９９】
前記各実施例では前記前縦溝Ｇ０および前記第１屈曲溝Ｇ１は少なくとも靴底の接地面側に形成されている。しかし、図１０の実施例５に示すように、例えば第１屈曲溝Ｇ１が接地面側とは反対側の上面１Ｆに形成されていてもよい。【０１００】
前記実施例１〜４において、図１の前縦溝Ｇ０と第１屈曲溝Ｇ１とは第１交点Ｃ１において実際に交わっている。しかし、前縦溝Ｇ０と第１屈曲溝Ｇ１とが実際に交わっている必要はない。【０１０１】
図１５Ａ、図１５Ｂおよび図１６Ａは、前縦溝Ｇ０と第１屈曲溝Ｇ１とが互いに一部において不連続である場合の例を示す。【０１０２】
図１５Ａにおいて、第１屈曲溝Ｇ１の後方ＤＢにおいて、アウトソール２は内外に連なり、かつ、接地する部位２１を有している。この場合、前記部位２１において第１屈曲溝Ｇ１と前縦溝Ｇ０とは互いに不連続である。【０１０３】
図１５Ｂにおいて、前縦溝Ｇ０の両側においてアウトソール２は前後に連なり、かつ、接地する部位２２を有している。この場合、前記部位２２において外側屈曲部Ｇ１０と内側屈曲部Ｇ１１とは互いに分断されて不連続である。【０１０４】
図１６Ａにおいて、第１交点Ｃ１を含む部位２３はミッドソール１が露出している。この部位２３はミッドソール１の他の部分に比べ窪んでいない。ミッドソール１からアウトソール２の突出量が小さい場合、前記部位２３が前縦溝Ｇ０およびまたは第１屈曲溝Ｇ１の一部か否かの判断をする必要はない。【０１０５】
図１６Ｂの例において、第１屈曲溝Ｇ１は中心線Ｌ１が直線となるように設定されている。この場合、第１屈曲溝Ｇ１の溝の幅は一定でもよいが、図１６Ｂのように、中央部１Ｃから外側縁１０および／または内側縁１１に向かって溝の幅が拡がっていてもよい。また、第１屈曲溝Ｇ１の爪先側の溝端Ｇ１２が後方に向かって凸に形成されているのが好ましく、円弧状に形成されているのが更に好ましい。【０１０６】
つぎに、前記第１屈曲溝Ｇ１の溝の傾きについて検証したテストについて説明する。【０１０７】
テストサンプルとして図１３のＴ１〜Ｔ４が用意された。テストサンプルＴ１〜Ｔ３の靴底には、図１３の二点鎖線で示す位置に第１屈曲溝Ｇ１（図１）に相当する溝Ｇ１５が形成された。テストサンプルＴ１〜Ｔ３の各溝Ｇ１５のセンタＳＣに対する角度は、それぞれ、７０°、８８°または１０６°に設定された。テストサンプルＴ４には第１屈曲溝Ｇ１に相当する溝が設けられていない。【０１０８】
被験者が前記各テストサンプルＴ１〜Ｔ４の靴を着用して６ｋｍ／ｈで歩行し、前述の図１２の両脚支持期ＴＥにおける振れ幅ＷΦを計測した。その結果が図１３に示される。なお、前記被験者は６０代の男性である。【０１０９】
図１３のテスト結果から、各実施例の第１屈曲溝Ｇ１に近似した溝Ｇ１５を有するテストサンプルＴ３は他のテストサンプルＴ１，Ｔ２，Ｔ４に比べ、安定性能に優れていることが分かる。【０１１０】
つぎに、前述の実施例１（図１）の靴底に関し検証したテストについて説明する。【０１１１】
図１４のテストサンプルＴ５として、前記図１の各溝Ｇ０〜Ｇ７に近似した溝を定義する靴底を有する靴を試作した。テストサンプルＴ６およびＴ７として同靴の現行バージョンの靴を用意した。【０１１２】
３名の被験者が前記各靴を着用し４ｋｍ／ｈで歩行し、前述の図１２の両脚支持期ＴＥにおける振れ幅ＷΦを計測した。その結果が図１４に示される。【０１１３】
図１４のテスト結果から、実施例１の構造に近似したテストサンプルＴ５は他のテストサンプルＴ６，Ｔ７に比べ、安定性能に優れていることが分かる。【０１１４】
以上のとおり、図面を参照しながら好適な実施例を説明したが、当業者であれば、本明細書を見て、自明な範囲内で種々の変更および修正を容易に想定するであろう。
たとえば、ミッドソールにはゲルや鞘様の緩衝パーツが設けられていてもよい。また、メインソールは柔軟なミッドソールのような素材のみ、あるいは、アウトソールのみで形成されていてもよい。また、溝はアウトソールのみで形成されていてもよい。
したがって、そのような変更および修正は、本発明の範囲内のものと解釈される。
【産業上の利用可能性】
【０１１５】
本発明はウォーキング用、ビジネス用などの種々の靴に適用できる。
【符号の説明】
【０１１６】
１：ミッドソール  １Ｃ：中央部  １Ｆ：上面  １０：外側縁  １１：内側縁
２：アウトソール  ２０：強化部  ２１〜２３：部位
３：前足部  ３０，３２：領域
５：後足部
Ｃ１：第１交点  Ｃ２：第２交点
ＤＦ：前方  ＤＢ：後方
Ｇ０：前縦溝  Ｇ１：第１屈曲溝  Ｇ２：第２屈曲溝    Ｇ３：補助屈曲溝  Ｇ４：別の補助屈曲溝  Ｇ５：後縦溝  Ｇ６：横溝  Ｇ７：縦細溝  Ｇ８：上溝  Ｇ１０：外側屈曲部  Ｇ１１：内側屈曲部
Ｈ１，Ｈ２，Ｈ３，Ｈ５，Ｈ６：深さ
Ｌ０，Ｌ１，Ｌ１０，Ｌ１１：中心線
Ｌ：外側  Ｍ：内側
ＭＳ：メインソール
Ｏ１：母趾球  Ｂ１，Ｂ５：末節骨
Ｓ１，Ｓ２：靴底  Ｓ１０：後端部  Ｓ２０：前端部  ＳＣ：シュー（ズ）センタ    ＳＤ：歩隔
ＴＥ：両脚支持期
Ｘ：横方向  Ｙ：縦方向
ＷΦ：振れ幅
θ：歩行角
【要約】
靴底は、前足部の内側と外側との間において少なくとも縦方向に延びている前縦溝と、前足部の母趾球よりも前方に配置され前縦溝に仮想の第１交点で交わるように少なくとも横方向に延びている第１屈曲溝とを定義し、前記第１屈曲溝の内側屈曲部と前縦溝とのなす第１角よりも、前記第１屈曲溝の外側屈曲部と前記前縦溝とのなす第２角のほうが大きい。【図１】
0005923224.tif 000002
【図２】
0005923224.tif 000003
【図３】
0005923224.tif 000004
【図４】
0005923224.tif 000005
【図５】
0005923224.tif 000006
【図６】
0005923224.tif 000007
【図７】
0005923224.tif 000008
【図８】
0005923224.tif 000009
【図９】
0005923224.tif 000010
【図１０】
0005923224.tif 000011
【図１１】
0005923224.tif 000012
【図１２】
0005923224.tif 000013
【図１３】
0005923224.tif 000014
【図１４】
0005923224.tif 000015
【図１５】
0005923224.tif 000016
【図１６】
0005923224.tif 000017